(57)【要約】      （修正有）【課題】マットレス用スプリング組立体におけるコイルスプリングの露出回線部の封入作業を自動化する。【解決手段】スプリング組立体の上・下面のいずれか一方に突出されたコイルスプリングの露出回線部の封入機械装置において、胴体部１０の支持台１２に装着された不織布２２を引いて牽引する牽引機３０と、支持台１２と固定台１３との間に構成され、不織布２２の遊隔を調節する昇降機１５と、露出回線部１１５ａの幅方向に不織布２２を押し込む前方挿入機４０と、露出回線部の両側部に不織布２２を押し込む側方挿入機８０と、露出回線部に挿入された不織布２２を固定する接着機５０と、スプリング組立体１００を一ステップずつ移動させる移送機６０と、不織布２２を切断する切断機７０と、スプリング組立体１００の高さをセッティングする支持器９０と、前記スプリング組立体１００の搭載信号を入力され、シリンダーに作動信号を出力する制御機Ｃとを備える。【選択図】図２
2007007389.tif 000002
【特許請求の範囲】
【請求項１】
スプリング組立体１００に行／列方向Ｒ、Ｃに沿って規則的に配置されたコイルスプリング１１５の上端回線部と下端回線部との中で、少なくともいずれか一つの回線部が上部枠部材１２０または下部枠部材１２０に垂直方向に突出された露出回線部１１５ａの封入機械装置を構成することにおいて、
前記スプリング組立体１００が搭載されて、その上面に支持台１２と固定台１３が一定間隔をおいて装着された胴体部１０と、
前記支持台１２に装着された巻取器２０の不織布２２をシリンダー３１の作動過程で一定量引いて牽引する牽引機３０と、
前記支持台１２と固定台１３との間に構成されて、シリンダー１５ａの作動過程において、不織布２２を露出回線部１１５ａに挿入される程度の長さに引っ張る昇降機１５と、
前記固定台１３に装着されて、シリンダー４１、４７により回動しながら、前記露出回線部１１５ａの幅方向に不織布２２を押し込む前方挿入機４０と、
前記胴体部１０に装着されて、シリンダー８１により前後進しながら、前記露出回線部１１５ａの両側部に不織布２２を押し込む側方挿入機８０と、
前記前方挿入機４０の側部に構成されて、シリンダー５１により昇降しながら、前記露出回線部１１５ａに挿入された不織布２２を固定する接着機５０と、
前記胴体部１０に装着されて、シリンダー６１により前後進しながら、前記スプリング組立体１００を一ステップずつ移動させる移送機６０と、
前記スプリング組立体１００の移送経路に装着されて、シリンダー７１により昇降しながら、前記不織布２２を切断する切断機７０と、
前記前方挿入機４０の下部側に構成されて、シリンダー９１により昇降しながら、前記露出回線部１１５ａの高さをセッティングする支持器９０と、
前記スプリング組立体１００から搭載信号を入力され、前記各シリンダーに順次作動信号を出力する制御機Ｃとからなることを特徴とする、マットレス用スプリング組立体の露出回線部封入機械装置。
【請求項２】
前記昇降機１５は、前記シリンダー１５ａにより昇降するフレーム部材１５ｂと、このフレーム部材１５ｂの先端部に装着されて且つ不織布２２が安着される複数個の掛け部材１５ｃとからなることを特徴とする、請求項１に記載のマットレス用スプリング組立体の露出回線部封入機械装置。
【請求項３】
前記牽引機３０は、その先端部に、シリンダー３１のロッドに固定されて且つ交互に前記不織布２２が掛けられる、それぞれの掛け部材３２からなることを特徴とする、請求項１に記載のマットレス用スプリング組立体の露出回線部封入機械装置。
【請求項４】
前記前方挿入機４０は、前記固定台１３の上部側に斜めに装着され、シリンダー４１により往復移動する傾斜板４６と、前記固定台１３の下部側に装着され、シリンダー４７により昇降する昇降板４８と、前記傾斜板４６と昇降板４８にヒンジ点４２、４３を通じて固定された回動板４４と、この回動板４４の前方側に装着され、露出回線部１１５ａの下部側に向かって往復移動するラウンディング押し器４５と、前記固定台１３の一面に装着され、傾斜板４６をリターンさせるリターンスプリング４９とからなることを特徴とする、請求項１に記載のマットレス用スプリング組立体の露出回線部封入機械装置。
【請求項５】
前記接着機５０は、その接着手段が高周波であることを特徴とする、請求項１に記載のマットレス用スプリング組立体の露出回線部封入機械装置。
【請求項６】
前記移送機６０は、前記胴体部１０に構成されたシリンダー６１により往復移動する移動部材６２と、この移動部材６２に装着され、スプリング組立体１００を一ステップずつ移動させる押し器６３とからなることを特徴とする、請求項１に記載のマットレス用スプリング組立体の露出回線部封入機械装置。
【請求項７】
前記切断機７０は、その先端部に、水平方向に沿って不織布２２と直接接触する熱線７３が構成されたことを特徴とする、請求項１に記載のマットレス用スプリング組立体の露出回線部封入機械装置。
【請求項８】
前記支持器９０は、その上端部に前記露出回線部１１５ａの最下部側の回線部と直接接触される支持突部９２が装着されたことを特徴とする、請求項１に記載のマットレス用スプリング組立体の露出回線部封入機械装置。
【発明の詳細な説明】
【技術分野】
【０００１】
本発明は、スプリング組立体の上・下面のいずれか一方に突出されたコイルスプリングの露出回線部を封入する機械装置に関し、特に、露出回線部の封入による作業工程を自動化して生産性を極大化させることができるようにしたマットレス用スプリング組立体の露出回線部封入機械装置に関する。
【背景技術】
【０００２】
一般に、スプリング組立体は、コイルスプリングとその上・下面に積層されるパッディング部材とを通じてクッション力及び緩衝力を提供するものであって、前記コイルスプリングの上・下部回線の少なくともいずれか一方の回線部が突出するように配置された突出形スプリング組立体(以下、スプリング組立体という)が提案されている。
【０００３】
例えば、図１のように、スプリング組立体１００は、コイルスプリング１１５が行／列方向Ｒ、Ｃに沿って配列されたスプリングセット１１０と、スプリングセット１１０の上・下部に位置され、最外郭のコイルスプリング１１５を支持する上・下部枠部材１２０、１２０’、及びスプリングセット１１０の行方向Ｒにネジ式で結合され、隣り合うコイルスプリング１１５の回線を固定するヘリカルコイル１３０から構成される。
【０００４】
そして、コイルスプリング１１５は、上・下部枠部材１２０、１２０’の内部空間にピン部材１４０により固定された状態で、垂直方向に沿って一定間隔をおいて規則的に配列されて、そのハウジングの上端部または下端部に、上・下部枠部材１２０、１２０’の外部に露出される露出回線部１１５ａが形成されている。
【０００５】
従って、マットレス(図示せず)にスプリング組立体１００を内装して、それぞれのパッディング部材を積層する場合、コイルスプリング１１５自体の弾性力だけではなく、露出回線部１１５ａの弾性力が二重に作用し、クッション力及び緩衝力がさらに増大するため、マットレスの使用者にもっと居心地のよい使用感を与えることができる。
【０００６】
ところが、スプリング組立体１００は、スプリングセット１１０の水平面を基準に、枠部材１２０の外部に露出回線部１１５ａが突出された状態で、例えば、スプリングセット１１０の上・下面に積層されるパッディング部材が前記露出回線部１１５ａとの接触により損傷され、寿命を低下させる問題点があった。
【０００７】
また、スプリング組立体１００は、露出回線部１１５ａに側面荷重が加えられ、一方に片寄る場合、弾性力が低下する虞があるだけではなく、前記露出回線部１１５ａの片寄り部分が枠部材１２０、１２０’またはコイルスプリング１１５の回線部と接触する場合、摩擦騒音が発生する問題点があった。
【０００８】
したがって、アメリカの場合、コイルスプリング１１５の接触騒音を低減するための技術構成が提案されたが、これらは、露出回線部１１５ａを封入するというよりは、コイルスプリングの回線部間にパッドなどを挿入し、摩擦を防止する構成であって、前記露出回線部１１５ａの片寄り部分が枠部材１２０、１２０’またはコイルスプリング１１５の回線部と接触する場合に生じる摩擦騒音を解決するには十分ではなく、且つ、使用者が所望する二重クッション機能を提供するには、足りない部分があった。
【０００９】
前述の問題点を解決するために、本願出願人により“露出回線部の密封装置”(大韓民国特許第４４４３４７号)が提案されたが、このような特許は、モールディングフォームや不織布を利用し、露出回線部１１５ａを密封する技術構成であり、本願出願人は、これから一歩進み、前記露出回線部を自動に封入する装置を開発して、本発明を完成した。
【発明の開示】
【発明が解決しようとする課題】
【００１０】
本発明の目的は、前述のような問題点を解決するために発案されたもので、露出回線部の封入による一連の作業過程を自動化することにより、便利性及び作業生産性を極大化することができるようにした、マットレス用スプリング組立体の露出回線部封入機械装置を提供することである。
【課題を解決するための手段】
【００１１】
前述した目的を達成するための本発明は、スプリング組立体が搭載されて、巻取器に巻かれた不織布の遊隔を昇降機を通じて調節する胴体部と、前記巻取器の前方側に装着され、シリンダーにより前後進しながら前記不織布２２を引いて牽引する牽引機と、前記胴体部に構成された固定台に結合され、シリンダーの作動過程で前記露出回線部に不織布を押し込む前方挿入機と、前記胴体部の両側部に構成され、シリンダーにより前後進しながら、前記露出回線部の両側部に不織布を押し込む側方挿入機と、この前方挿入機の上部側に構成されて、シリンダーにより昇降しながら、前記露出回線部に挿入された不織布を接着する接着機と、前記胴体部の両側部に構成されて、シリンダーにより前後進しながら、前記スプリング組立体を一ステップずつ移動させる移送機と、前記接着機の側部に構成されて、シリンダーにより昇降しながら、前記胴体部を通過する不織布を切断する切断機と、前記胴体部の下部側に構成されて、シリンダーにより昇降しながら、露出回線部の高さをセッティングする支持器と、前記スプリング組立体から搭載信号を入力され、シリンダーに順次作動信号を出力する制御機とからなる。
【発明の効果】
【００１２】
本発明によるマットレス用スプリング組立体の露出回線部封入機械装置によると、スプリング組立体に突出形成された露出回線部の封入作業が封入機械装置により自動に行われるため、封入作業に伴う各種作業荷重及び作業工数が最少化され、作業生産性が極大化されると共に、露出回線部の封入作業に伴う付帯費用が節減され、マットレスの生産原価と製品競争力を向上させる効果がある。
【発明を実施するための最良の形態】
【００１３】
（実施例）
以下、本発明について実施例によって説明する。
【００１４】
図１〜１０に示されたように、スプリング組立体１００に行／列方向Ｒ、Ｃに沿って規則的に配置されたコイルスプリング１１５の上端回線部と下端回線部との中で、少なくともいずれか一つの回線部が上部枠部材１２０または下部枠部材１２０に垂直方向に突出された露出回線部１１５ａの封入機械装置を構成することにおいて、前記スプリング組立体１００が搭載されて、その上面に支持台１２と固定台１３が一定間隔をおいて装着された胴体部１０と、前記支持台１２に装着された巻取器２０の不織布２２をシリンダー３１の作動過程で一定量引いて牽引する牽引機３０と、前記支持台１２と固定台１３との間に構成されて、シリンダー１５ａの作動過程において、不織布２２を露出回線部１１５ａに挿入される程度の長さに引っ張る昇降機１５と、前記固定台１３に装着されて、シリンダー４１、４７により回動しながら、前記露出回線部１１５ａの幅方向に不織布２２を押し込む前方挿入機４０と、前記胴体部１０に装着されて、シリンダー８１により前後進しながら、前記露出回線部１１５ａの両側部に不織布２２を押し込む側方挿入機８０と、前記前方挿入機４０の側部に構成されて、シリンダー５１により昇降しながら、前記露出回線部１１５ａに挿入された不織布２２を固定する接着機５０と、前記胴体部１０に装着されて、シリンダー６１により前後進しながら、前記スプリング組立体１００を一ステップずつ移動させる移送機６０と、前記スプリング組立体１００の移送経路に装着されて、シリンダー７１により昇降しながら、前記不織布２２を切断する切断機７０と、前記前方挿入機４０の下部側に構成されて、シリンダー９１により昇降しながら、前記露出回線部１１５ａの高さをセッティングする支持器９０と、前記スプリング組立体１００から搭載信号を入力され、前記シリンダー１４、１５ａ、３１、４１、５１、６１、７１、８１、９１に順次作動信号を出力する制御機Ｃとからなる。
【００１５】
ここで、本発明による封入機械装置１は、胴体部１０と、巻取器２０と、牽引機３０と、前方挿入機４０と、側方挿入機８０と、接着機５０と、移送機６０と、切断機７０と、側方挿入機８０と、支持器９０とから構成され、これらの各構成要素が制御機Ｃの信号により自動または手動で作動される。
【００１６】
そして、図２に示したように、胴体部１０は、移送装置（図示せず）により移送されたスプリング組立体１００が搭載されるものであって、前記スプリング組立体１００が搭載される平板状の搭載板１１と、前記巻取器２０と牽引機３０とがそれぞれ装着される支持台１２、前記前方挿入機４０と側方挿入機８０と接着機５０とがそれぞれ装着される固定台１３、及び前記支持台１２と固定台１３との間に構成され、前記不織布２２が載置される安着板１６から構成される。
【００１７】
この際、胴体部１０は、スプリング組立体１００が水平方向に搭載できる形態であれば、どんな構造でもよく、特に、強度及び耐久性を考慮し、鉄構造物に製造することが好ましい。
【００１８】
そして、図２に示したように、巻取器２０は、前記胴体部１０の上部側に位置され、露出回線部１１５ａに不織布２２を供給するものであって、前記支持台１２に固定され且つローラー２３に不織布２２が巻き取られた構成である。
【００１９】
また、図３に示したように、牽引機３０は、前記巻取器２０の供給ラインに装着され、不織布２２を露出回線部１１５ａに適量供給するものであって、前記支持台１２の一面に水平方向に固定された複数個のシリンダー３１と、このシリンダー３１のロッドにそれぞれ固定され、且つ前記不織布２２が交互に掛けられ、一定量牽引されるそれぞれの掛け部材３２とから構成される。
【００２０】
また、図４に示したように、昇降機１５は、前記支持台１２と固定台１３との間に構成されて、不織布２２を露出回線部１１５ａに挿入される程度の長さに引っ張るものであって、前記胴体部１０に装着された少なくとも一対のシリンダー１５ａと、このシリンダー１５ａのロッドに装着されて昇降するフレーム部材１５ｂと、このフレーム部材１５ｂに装着され、且つ前記不織布２２が安着される搭載部材１５ｃとから構成される。
【００２１】
また、図５に示したように、前方挿入機４０は、牽引機３０から供給される不織布２２を露出回線部１１５ａの下部側に押し込むものであって、前記固定台１３の上部側に斜めに装着され、シリンダー４１により往復移動すると共に、リターンスプリング４９を通じてリターンする傾斜板４６と、前記固定台１３の下部側に装着され、シリンダー４７により昇降する昇降板４８と、前記傾斜板４６と昇降板４８とにヒンジ点４２、４３を通じて固定された回動板４４と、この回動板４４の前方側に装着され、露出回線部１１５ａの下部側に向かって往復移動するラウンディング押し器４５とからなる。
【００２２】
ここで、前方挿入機４０に構成されたラウンディング押し器４５は複数個であって、好ましくは、スプリング組立体１００に列方向Ｃに沿って規則的に配置されたコイルスプリング１１５の数に対応する数で形成することが好ましい。
【００２３】
また、図６に示したように、接着機５０は、前方挿入機４０により露出回線部１１５ａに挿入された不織布２２を接着するものであって、前方挿入機４０の側部に装着されたシリンダー５１と、このシリンダー５１のロッドに装着され、不織布２２に向かって接着手段を供給する接着チップ５２とから構成される。この際、接着機５０の接着手段としては、高周波を利用することが好ましい。
【００２４】
また、図７に示したように、移送機６０は、露出回線部１１５ａの封入が完了した場合、列方向Ｃに一ステップずつスプリング組立体１００を移動させるものであって、前記搭載板１１の上面に長め方向に装着されたシリンダー６１と、このシリンダー６１のロッドに結合され、往復移動する移動部材６２と、この移動部材６２の一側部に装着され、コイルスプリング１１５の配置間隔に該当する距離だけスプリング組立体１００を一ステップずつ移動させる押し器６３とからなる。
【００２５】
また、図８に示したように、切断機７０は、スプリング組立体１００の封入作業が完了した場合、不織布２２を切断するものであって、前記胴体部１０に斜め方向に装着されたシリンダー７１と、このシリンダー７１のロッドに結合され、ヒンジ点７４を中心に折られるか、広げられる一対のリンク部材７２と、このリンク部材７２の上端部にヒンジ点７５を通じて結合され、前記固定台１３を経由するスプリング組立体の不織布２２と直接接触し切断する熱線７３とからなる。
【００２６】
また、図９に示したように、側方挿入機８０は、胴体部１０に安着されたスプリング組立体１００の側面に不織布２２を押し込むものであって、前記搭載板１１の両側部に装着されたシリンダー８１と、このシリンダー８１のロッドに装着され、前記不織布２２の両側部を露出回線部１１５ａに押し込む押し器８２とからなる。
【００２７】
また、図１０に示したように、支持器９０は、搭載板１１の下部側に垂直方向に位置され、スプリング組立体１００において露出回線部１１５ａの下部側を支持するものであって、搭載板１１の下部側に垂直方向に装着されたシリンダー９１と、このシリンダー９１のロッドに装着され、露出回線部１１５ａの最下部側の回線部と直接接触される支持突部９２とからなる。
【００２８】
また、制御機Ｃは、封入機械装置１を電気的に制御して、一連の封入作業を自動に作動させるためのものであって、前記胴体部１０に移送されるスプリング組立体１００から搭載信号を入力されて、シリンダー１４、１５ａ、３１、４１、５１、６１、７１、８１、９１に順次作動信号を出力する。
【００２９】
以下、本発明による作用について説明する。
【００３０】
まず、封入機械装置１の作動スイッチをオンすると、移送装置(図示せず)により移送されるスプリング組立体１００の露出回線部１１５ａが上部側に向かう方向に移送され、胴体部１０のセッティング位置に搭載される。
【００３１】
次いで、制御機Ｃの信号が入力された牽引機３０のシリンダー３１が作動するため、牽引機３０の掛け部材３２に交互に掛けられていた不織布２２が一定量引っ張られ、前記安着板１６に安着される。
【００３２】
この際、巻取器２０に巻かれている不織布２２は、牽引機３０の作動過程で一定量解かれると共に、掛け部材３２の前後進過程で交互に牽引されるため、前記不織布２２がある程度ぴんとした張り状態を維持する。
【００３３】
次いで、制御機Ｃの信号を入力された前方挿入機４０のシリンダー４１が作動するため、前記傾斜板４６が斜め方向に下向きとなり、これにより傾斜板４６にヒンジ結合された回動板４４が図面上の反時計方向に回動する。
【００３４】
これにより、回動板４４の一面に装着されていたラウンディング押し器４５が、ヒンジ点４２、４３を中心に、図面上の反時計方向に回動するため、ラウンディング押し器４５により不織布２２が押され、露出回線部１１５ａに挿入される。
【００３５】
即ち、前方挿入機４０の傾斜板４６に結合された回動板４４がヒンジ点４２に沿って回動することにより、回動板４４に装着されたラウンディング押し器４５が露出回線部１１５ａの下部側に挿入されながら、不織布２２を押し込むようになる。
【００３６】
それと同時に、制御機Ｃの信号を入力された側方挿入機８０のシリンダー８１が作動するため、側方挿入機８０の押し器８２が、スプリング組立体１００の両側部に構成された露出回線部１１５ａに不織布２２を押し込むようになる。
【００３７】
この際、スプリング組立体１００の露出回線部１１５ａは、支持器９０の突部９２により支持され、常にセッティング高さを維持するようになる。
【００３８】
次いで、制御機Ｃの信号が入力された接着機５０のシリンダー５１が作動するため、接着チップ５２の高周波が、露出回線部１１５ａに不織布２２が挿入された状態で接着して密封させる。
【００３９】
次いで、制御機Ｃの信号が入力された前方挿入機４０のシリンダー４１が作動し、前記傾斜板４６が図面上の時計方向に回動するため、ラウンディング押し器４５が露出回線部１１５ａから引き出されるようになる。
【００４０】
その後、前方挿入機４０がシリンダー４７により昇降しながら、一定距離を有する空間を形成するようになる。
【００４１】
次いで、制御機Ｃの信号が入力されたシリンダー１５ｂが作動し、フレーム部材１５ｂが上昇して前記不織布２２を上向きにするため、前記不織布２２が露出回線部１１５ａに挿入される程度の長さに引っ張られる。
【００４２】
次いで、制御機Ｃの信号が入力された移送機６０のシリンダー６１が作動し、移動部材６２が前進しながらスプリング組立体１００を一ステップ、即ち、コイルスプリング１１５の配置間隔に該当する距離だけ移動させる。
【００４３】
このようにすると、スプリング組立体１００に構成された露出回線部１１５ａの列方向Ｃに沿う１ラインの露出回線部１１５ａが密封されて、このような過程を繰り返すことにより、前記露出回線部の１ラインの封入作業が連続的になされるようになる。
【００４４】
一方、スプリング組立体１００において列方向Ｃの封入作業が完了した場合、制御機Ｃの信号を入力された切断機７０のシリンダー７１が作動し、熱線７３から加えられる熱により不織布２２が切断される。
【００４５】
このようにして、スプリング組立体１００に形成された露出回線部１１５ａに対する一連の封入作業過程が完了する。
【図面の簡単な説明】
【００４６】
【図１】従来技術によるスプリング組立体を示した一実施例である。
【図２】本発明による封入機械装置を示した概略図である。
【図３】本発明による封入機械装置の牽引機を示した概略図である。
【図４】本発明による封入機械装置の昇降機を示した概略図である。
【図５】本発明による封入機械装置の前方挿入機を示した概略図である。
【図６】本発明による封入機械装置の接着機を示した概略図である。
【図７】本発明による封入機械装置の移送機を示した概略図である。
【図８】本発明による封入機械装置の切断機を示した概略図である。
【図９】本発明による封入機械装置の側方挿入機を示した概略図である。
【図１０】本発明による封入機械装置の支持器を示した概略図である。
【符号の説明】
【００４７】
１００    スプリング組立体
１１５ａ  露出回線部
１０      胴体部
２０      巻取器
３０      牽引機
４０      前方挿入機
５０      接着機
６０      移送機
７０      切断機
８０      側方挿入機
１４、３１、４１、５１、６１、７１、８１、９１    シリンダー
９０      支持器
【図１】
2007007389.tif 000003
【図２】
2007007389.tif 000004
【図３】
2007007389.tif 000005
【図４】
2007007389.tif 000006
【図５】
2007007389.tif 000007
【図６】
2007007389.tif 000008
【図７】
2007007389.tif 000009
【図８】
2007007389.tif 000010
【図９】
2007007389.tif 000011
【図１０】
2007007389.tif 000012